【手続補正書】
【提出日】平成18年12月26日(2006.12.26)
【手続補正１】
【補正対象書類名】特許請求の範囲
【補正対象項目名】全文
【補正方法】変更
【補正の内容】
【特許請求の範囲】
【請求項１】
呼出信号を受信してから呼出中止までの呼出時間を計測する呼出時間計測手段を備えた通信装置であって、着信に応答しなかった場合には前記呼出時間計測手段により計測された呼出時間の計測結果を表示する一方、該着信に応答した場合には前記呼出時間の計測結果を表示しないようにすることを特徴とする通信装置。
【請求項２】
呼出信号を受信してから呼出中止までの呼出時間を計測する呼出時間計測手段を備えた通信装置であって、着信に応答しなかった場合には前記呼出時間計測手段により計測された呼出時間の計測結果をメモリに記憶する一方、該着信に応答した場合には前記呼出時間の計測結果をメモリに記憶しないようにすることを特徴とする通信装置。
【請求項３】
前記着信に応答したか否かを示す応答情報を表示することを特徴とする請求項１または２に記載の通信装置。
【請求項４】
前記着信に応答しなかった場合には応答しなかったことを示す応答情報を表示し、該着信に応答した場合には応答したことを示す応答情報を表示することを特徴とする請求項１または２に記載の通信装置。
【請求項５】
前記着信により取得された相手の電話番号を前記計測結果とともにメモリに記憶することを特徴とする請求項項１乃至４のいずれか一項に記載の通信装置。
【請求項６】
前記着信により取得された相手の電話番号を表示することを特徴とする請求項１乃至５のいずれか一項に記載の通信装置。
【請求項７】
前記電話番号に発呼することを特徴とする請求項５または６に記載の通信装置。
【請求項８】
着信日時を表示することを特徴とする請求項１乃至７のいずれか一項に記載の通信装置。
【請求項９】
呼出信号を受信してから呼出中止までの呼出時間を計測する呼出時間計測ステップを含む通信方法であって、着信に応答しなかった場合には前記呼出時間計測ステップにより計測された呼出時間の計測結果を表示する一方、該着信に応答した場合には前記呼出時間の計測結果を表示しないようにすることを特徴とする通信方法。
【請求項１０】
呼出信号を受信してから呼出中止までの呼出時間を計測する呼出時間計測ステップを含む通信方法であって、着信に応答しなかった場合には前記呼出時間計測ステップにより計測された呼出時間の計測結果をメモリに記憶する一方、該着信に応答した場合には前記呼出時間の計測結果をメモリに記憶しないようにすることを特徴とする通信方法。
【請求項１１】
前記着信に応答したか否かを示す応答情報を表示することを特徴とする請求項９または１０に記載の通信方法。
【請求項１２】
前記着信に応答しなかった場合には応答しなかったことを示す応答情報を表示し、該着信に応答した場合には応答したことを示す応答情報を表示することを特徴とする請求項９または１０に記載の通信方法。
【請求項１３】
前記着信により取得された相手の電話番号を前記計測結果とともにメモリに記憶することを特徴とする請求項項９乃至１２のいずれか一項に記載の通信方法。
【請求項１４】
前記着信により取得された相手の電話番号を表示することを特徴とする請求項９乃至１３のいずれか一項に記載の通信方法。
【請求項１５】
前記電話番号に発呼することを特徴とする請求項１３または１４に記載の通信方法。
【請求項１６】
着信日時を表示することを特徴とする請求項９乃至１５のいずれか一項に記載の通信方法。
【手続補正２】
【補正対象書類名】明細書
【補正対象項目名】発明の名称
【補正方法】変更
【補正の内容】
【発明の名称】通信装置及び通信方法
【手続補正３】
【補正対象書類名】明細書
【補正対象項目名】０００４
【補正方法】変更
【補正の内容】
【０００４】
前記の課題を解決するために、請求項１記載の発明では、呼出信号を受信してから呼出中止までの呼出時間を計測する呼出時間計測手段を備えた通信装置であって、着信に応答しなかった場合には前記呼出時間計測手段により計測された呼出時間の計測結果を表示する一方、該着信に応答した場合には前記呼出時間の計測結果を表示しないようにすることを特徴とする。
また、請求項２記載の発明では、呼出信号を受信してから呼出中止までの呼出時間を計測する呼出時間計測手段を備えた通信装置であって、着信に応答しなかった場合には前記呼出時間計測手段により計測された呼出時間の計測結果をメモリに記憶する一方、該着信に応答した場合には前記呼出時間の計測結果をメモリに記憶しないようにすることを特徴とする。
また、請求項３記載の発明では、請求項１または請求項２記載の発明において、前記着信に応答したか否かを示す応答情報を表示することを特徴とする。
また、請求項４記載の発明では、請求項１または２に記載の発明において、前記着信に応答しなかった場合には応答しなかったことを示す応答情報を表示し、該着信に応答した場合には応答したことを示す応答情報を表示することを特徴とする。
また、請求項５記載の発明では、請求項１乃至４のいずれか一項に記載の発明において、前記着信により取得された相手の電話番号を前記計測結果とともにメモリに記憶することを特徴とする。
また、請求項６記載の発明では、請求項１乃至５のいずれか一項に記載の発明において、前記着信により取得された相手の電話番号を表示することを特徴とする。
また、請求項７記載の発明では、請求項５または６に記載の発明において、前記電話番号に発呼することを特徴とする。
また、請求項８記載の発明では、請求項１乃至７のいずれかに記載の発明において、着信日時を表示することを特徴とする。
また、請求項９記載の発明では、呼出信号を受信してから呼出中止までの呼出時間を計測する呼出時間計測ステップを含む通信方法であって、着信に応答しなかった場合には前記呼出時間計測ステップにより計測された呼出時間の計測結果を表示する一方、該着信に応答した場合には前記呼出時間の計測結果を表示しないようにすることを特徴とする。
また、請求項１０記載の発明では、呼出信号を受信してから呼出中止までの呼出時間を計測する呼出時間計測ステップを含む通信方法であって、着信に応答しなかった場合には前記呼出時間計測ステップにより計測された呼出時間の計測結果をメモリに記憶する一方、該着信に応答した場合には前記呼出時間の計測結果をメモリに記憶しないようにすることを特徴とする。
また、請求項１１記載の発明では、請求項９または１０に記載の発明において、前記着信に応答したか否かを示す応答情報を表示することを特徴とする。
また、請求項１２記載の発明では、請求項９または１０に記載の発明において、前記着信に応答しなかった場合には応答しなかったことを示す応答情報を表示し、該着信に応答した場合には応答したことを示す応答情報を表示することを特徴とする。
また、請求項１３記載の発明では、請求項項９乃至１２のいずれか一項に記載の発明において、前記着信により取得された相手の電話番号を前記計測結果とともにメモリに記憶することを特徴とする。
また、請求項１４記載の発明では、請求項９乃至１３のいずれか一項に記載の発明において、前記着信により取得された相手の電話番号を表示することを特徴とする。
また、請求項１５記載の発明では、請求項１３または１４に記載の発明において、前記電話番号に発呼することを特徴とする。
また、請求項１６記載の発明では、請求項９乃至１５のいずれか一項に記載の発明において、着信日時を表示することを特徴とする。
【手続補正４】
【補正対象書類名】明細書
【補正対象項目名】０００５
【補正方法】変更
【補正の内容】
【０００５】
本発明によれば、呼出信号を受信してから呼出中止までの呼出時間を計測する呼出時間計測手段を備えた通信装置であって、着信に応答しなかった場合には呼出時間計測手段により計測された呼出時間の計測結果を表示する一方、着信に応答した場合には呼出時間の計測結果を表示しない（記憶しない）ようにするので、複数の着信が記憶されている着信履歴の中から応答していない着信を容易に見分けられるようにすることができる。